(57)【要約】【課題】熱交換器の寿命を向上するためのものである。【解決手段】熱交換器は、発熱体の外周に設けた流路に乱流生成手段を設置することで、流路に乱流が生成され、発熱部表面に発生するスケールなどの付着物を剥離することができるので付着を防止することができ、小型で高効率を実現しかつ長寿命とすることができる。よって、衛生洗浄装置に適した熱交換器となり、耐久性のある衛生洗浄装置を実現できる。【選択図】図１
2005171540.tif 000002
【特許請求の範囲】
【請求項１】
発熱体の外周に設けた流路と、前記流路を構成するケースと、少なくとも前記流路の一部に乱流を生成させる乱流生成手段を備えた熱交換器。
【請求項２】
乱流生成手段は、流路の少なくとも上流または下流の一部に設けられた請求項１記載の熱交換器。
【請求項３】
乱流生成手段は、流路に断続的に設けられた請求項１または２記載の熱交換器。
【請求項４】
乱流生成手段は、流路の流速が遅くなる部分に設けられた請求項１から３のいずれか１項記載の熱交換器。
【請求項５】
乱流生成手段は、流路の下流側に設け、乱れが上流側より下流側でより強く生じるようにした請求項１から４のいずれか１項記載の熱交換器。
【請求項６】
乱流生成手段は、螺旋状のバネを発熱体の外周に配置した請求項１から５記載の熱交換器。
【請求項７】
請求項１から６記載の熱交換器を備えた衛生洗浄装置。
【発明の詳細な説明】
【技術分野】
【０００１】
本発明は、冷水を温水に加熱するヒータを備えた熱交換器と、それを用いて人体の局部を洗浄する衛生洗浄装置に関するものである。
【背景技術】
【０００２】
従来、この種の熱交換器は、図９に示すように、円筒状の基材パイプ１と外筒２からなる二重管構造をしている。そして、基材パイプ１の外面の一部にはヒータ部３が設けられている。また、基材パイプ１の内孔４には、らせん中子５が挿入されている（例えば、特許文献１参照）。
【０００３】
上記構成において、流体としての水は、基材パイプ１の内孔４を流れるものであり、その際、水は基材パイプ１の内孔４に挿入されたらせん中子５のねじ山６に沿って流れるものであり、ヒータ部からの熱と熱交換されて温水が吐出されるものである。
【特許文献１】特開２００１−２７９７８６号公報
【発明の開示】
【発明が解決しようとする課題】
【０００４】
しかしながら、前記従来の構成では、基材パイプの外にヒータ部を設けているために、ヒータ部を熱絶縁して囲うための外筒が必要となり大きな構成となっていた。また、ヒータ部の熱が外部へ逃げるため熱交換効率が悪いという課題があった。さらに、内孔にらせん中子を挿入して保持するためには、ヒータ部がある基材パイプ内面に接触する必要があり、らせん中子は熱的に強固な材質にしなければならないという制限があった。
【０００５】
本発明は、小型で熱交換効率のよい熱交換器において、乱流生成手段を設けることで発熱部のスケール付着を低減することを目的とする。
【課題を解決するための手段】
【０００６】
前記従来の課題を解決するために、本発明の熱交換器は、発熱体の外周に設けた流路と、前記流路を構成するケースと、少なくとも前記流路の一部に乱流を生成させる乱流生成手段を備えたものである。
【０００７】
これによって、発熱体の外周に流路を設けることで熱絶縁が流路によって行われるので、熱的な絶縁層を設ける必要がなく小型にすることができる。そして、発熱部を流路で囲うことで外部へ熱を逃がさない構成とすることができ、熱交換効率を高めることができる。
【０００８】
また、流路に設けた乱流生成手段は、温度の低いケース内壁で保持することができるので樹脂などの耐熱性が弱い材質でも使用することができるので加工性に優れ、軽量とすることができるとともに、乱流生成手段によって、流路に乱流が生成されることで、発熱部表面や流路内に発生するスケールなどの付着を防止することができる。
【発明の効果】
【０００９】
本発明の熱交換器は、発熱体の外周に設けた流路に乱流生成手段を設置することで、流路に乱流が生成され、発熱部表面や流路内に発生するスケールなどの付着物を剥離することができるので付着を防止することができ、小型で高効率を実現しかつ長寿命とすることができる。
【発明を実施するための最良の形態】
【００１０】
第１の発明は、発熱体の外周に設けた流路と、前記流路を構成するケースと、少なくとも前記流路の一部に乱流を生成させる乱流生成手段を備えた構成とすることにより、流路に乱流が生成され、発熱部表面に発生するスケールなどの付着物を剥離することができるので付着を防止ことができ、小型で高効率を実現しかつ長寿命とすることができる。
【００１１】
第２の発明は、特に第１の発明の乱流生成手段は、流路の少なくとも上流または下流の一部に設けられた構成とすることにより、一部に設けることで流路の圧力損失を低減することができるとともに、軽量化、低コスト化を実現することができる。
【００１２】
第３の発明は、特に、第１の発明と第２の発明の乱流生成手段は、乱流生成手段は、流路に断続的に設けられた構成とすることにより、連続に設けるよりも流路の圧力損失を低減することができる。
【００１３】
第４の発明は、特に、第１の発明から第３の発明の乱流生成手段は、流路の流速が遅くなる部分に設けられた構成とすることにより、流速の遅い部分に付着するスケールを乱流により剥離して流し飛ばすことでスケールの付着を防止することができる。
【００１４】
第５の発明は、特に、第１の発明から第４の発明の乱流生成手段は、乱流生成手段は、流路の下流側に設け、乱れが上流側より下流側でより強く生じるようにした構成したことにより、下流側におけるスケールの付着を低減することができるとともに、全域に設置するよりも流路の圧力損失を低減することができる。
【００１５】
第６の発明は、特に、第１の発明から第５の発明の乱流生成手段は、乱流生成手段は、螺旋状のバネを発熱体の外周に配置したことにより、バネの力で流路に保持することができるので、保持の機構が不要となるとともに、挿入するだけで保持できるので製造を容易に行うことができる。
【００１６】
第７の発明は、特に、第１の発明から第６の発明の熱交換器を備えた衛生洗浄装置は、熱交換器を小型化することで衛生洗浄装置本体の小型化が実現でき、狭いトイレ空間にも容易に設置することができるとともに、スケールの付着を早期に防止することで、衛生洗浄装置の洗浄ノズルにスケール破片が詰まることを防止でき、長寿命で、かつ動作不良の発生しにくい装置とすることができる。
【００１７】
以下、本発明の実施の形態について、図面を参照しながら説明する。なお、本実施の形態によって本発明が限定されるものではない。
【００１８】
（実施の形態１）
図１は、本発明の第１の実施の形態における熱交換器の断面図を示すものである。
【００１９】
図１において、熱交換器は、流体としての水を加熱する発熱体としてのシーズヒータ７と、シーズヒータ７の外周を囲って流路９を構成するケース８と、流路９を螺旋状に構成するための乱流生成手段としてのバネ１０で構成されている。そして、入水口１１と、吐水口１２と、シーズヒータの電極端子１３、１４と、流路をシールするためのＯリング１５を備えている。また、図中１６の矢印は水の流れを示す。
【００２０】
以上のように構成された熱交換器について、以下その動作、作用を説明する。
【００２１】
まず、発熱体であるシーズヒータ７は、図２に示すように、酸化マグネシウム（図示せず）が封入された銅パイプ１７の中に電熱線１８がコイル状に配設されているものである。そして、その電熱線１８と接続された電極端子１３、１４に電気を通電することで電熱線１８が加熱され、銅パイプ１７に熱が伝わることで、銅パイプ１７の外周を流れる水が加熱されて温水となり、熱交換されるものである。
【００２２】
ここで、水は、図３に示すように、ケース８の中心から偏芯した側面位置に設けた入水口１１から入水し、銅パイプ１７の外周に流れ込み、さらに、銅パイプ１７の外周に沿って螺旋状に配置したバネによって、銅パイプ１７の外周を螺旋状に旋回して流れ、再び側面に設けた吐出口１２より吐出されることになる。ここで、螺旋状に配置するバネは、バネのピッチ間を構成する流路断面積が、ケース８と銅パイプ１７の間に構成されたドーナツ状の流路の断面積より狭くなるようなピッチで旋回させるようにした。この結果、バネに沿って螺旋状に流れる旋回流の流速は、バネがない場合に比べて速くなり、乱流が生成されることとなる。
【００２３】
また、ケース８と銅パイプ１７で囲まれた流路空間は、アスペクト比の大きな流路断面となり、流体が流れる距離が長くなると、徐々に整流効果が働き層流となりやすい特徴がある。しかし、本発明では、流れの方向が旋回流として、常に偏向していく流れであり、かつ流速を速くしているので乱流状態が継続し、銅パイプと流体である水の境界層の領域が非常に狭くなる。その様子を示す流速分布図を、図４と図５に模式的に示す。このように、図４に示す層流で流速の遅い部分１９が、図５に示す乱流流速分布の境界層２０のように少なくなり、銅パイプ１７に付着するスケールなどが蓄積することを防止することができる。
【００２４】
また、析出したスケール分は、速い流れによって下流側に流されてしまう効果があるとともに、乱流の旋回流によってスケールが小さく砕かれて下流側に流れていくので、下流側で詰まることがない。そして、熱交換器内にスケールが付着しにくくなることによって、熱交換器としての寿命を延ばすことができる。また、螺旋状のスムーズな流れとすることで、速い流速でありながら、流路の圧損を少なく実現できるとともに、乱流とすることで熱交換効率を向上することができ、小型化を実現することができる。
【００２５】
このように、発熱体の外周に設けたケースによって流路を構成し、その流路の一部に乱流を生成させる乱流生成手段を備えた構成とすることにより、流路に流速の速い乱流が生成され、発熱部表面に発生するスケールなどの付着物を剥離することができる。そして、パイプ状の周囲に乱流旋回する流路を構成することで、小型で高効率を実現し、かつスケールが付着しなくて長寿命とすることができる。そして、発熱体の外周に流路を設けることで熱絶縁が流路によって行われるので、熱的な絶縁層を設ける必要がなく小型にすることができる。また、発熱部を流路で囲うことで外部へ熱を逃がさない構成とすることができ、熱交換効率を高めることができる。さらに、流路に設けた乱流生成手段は、温度の低い部分であるケース内壁で保持することができるので、樹脂などの耐熱性が弱い材質でも使用することができる。よって、乱流生成手段は加工性のしやすい材料で製造することができ、軽量とすることができるとともに、乱流生成手段によって、流路に乱流が生成されることで、発熱部表面に発生するスケールなどの付着を防止することができる。また、流速を速くすることで、気泡の発生を低減し、スケールの発生を抑制すると共に、銅パイプ表面の温度を低く抑えることができるので、沸騰音の発生を低減することができる。
【００２６】
なお、銅パイプで説明したが、ＳＵＳパイプなど他の金属パイプでも同様の効果がある。そして、乱流生成手段はバネで説明したが、金属のバネやバネ性を持たない螺旋線や樹脂性の同等形状のものでも同様である。さらに、衛生洗浄装置に用いる場合は、流量が１００から２０００ｍＬ／分程度であるため、銅パイプは外径が、φ３から２０ｍｍ程度で、螺旋のピッチは３から２０ｍｍ程度がよい。ケースの内径は、φ５から３０ｍｍの範囲で、流速を速めた構成とすることができ、乱流を生成することができる。また、乱流生成手段にバネを用いる場合は、バネの線径が、０．１から３ｍｍ程度のものがよく加工性にも優れている。また、乱流生成手段であるバネは、ケースあるいは銅パイプに完全固定されているものではなく、バネの一部が摺動自由の状態で保持されることによって、流れから受ける流力とバネ力などによって振動する場合もあり、スケール付着をさらに防止できるような副作用的な効果がある。また、ピッチは一定で説明したが、部分的にピッチを狭くしたり広くしたり、徐々に変化させることでも可能である。
【００２７】
また、乱流の生成として説明したが、乱流とは、流れの方向が変化する乱れや、流速が変化する乱れなどを総称して乱流と称していることを付記しておく。その意味から、本発明ではバネで説明したが、バネ以外の流れを乱すように乱れ促進翼やガイドのようなものでもスケールの付着防止効果は得られる。
【００２８】
（実施の形態２）
図６は本発明の第２の実施の形態の熱交換器の断面図である。第１の実施の形態と異なる点は、乱流生成手段としてのバネ２１を下流側の一部に設けたことにある。
【００２９】
そして、以下その動作、作用を説明する。
【００３０】
図３に示すように入水口１１は、ケース８の側面から偏芯した方向に取り付けられている。よって、図６に示すように入水した水は、バネがなくても、ケース８と銅パイプ１７で構成された円筒状の流路２２に沿って旋回しながら流れ、その状態を持続することになる。しかし、入水口１１と吐出口１２の中間地点付近になると、旋回の勢いが衰えてくる。そのまま円筒状の流路が継続すると旋回成分はなくなり、軸方向の流れになるが、この旋回が衰え始める付近、すなわち流速が遅くなる部分であり、かつ乱流が弱まる部分である中央部より下流の領域に、乱流生成手段であるバネ２１を設置しておくことで、旋回流路２３を構成し旋回する流れに戻すことができる。その結果、流速が速くなり、乱流の状態とすることができる。
【００３１】
また、上流側においては、下流側に比べて、バネがないために、流路が広くなっている。その結果、流速が遅い状態になり、乱流の状態も弱いことになる。しかし、下流側にはバネが入っているので、流路の断面積が狭く、上流側に比べ流速が速くなる。このように、下流側において上流側より流速を速くして、乱流が強く生じるようにすることで、スケールの付着を防止することができる。特に、水が熱交換されることによって下流側ほど水の温度が高く、かつ水と共に銅パイプの表面温度も高温になるので、スケールの発生も多くなる。しかし、下流側に乱流生成手段であるバネ２１を配置することで、スケールの付着を防止することができる。
【００３２】
そして、流路全体の半分の領域のみにバネを配置しているので、全域にバネを配置するよりも圧力損失を少なくすることができる。
【００３３】
なお、乱流生成手段であるバネを中央から下流側の部分に設けることで説明したが、中央より上流から始めても良く、スケールの付着状況に応じて移動させる構成としておけば対応することができる。また、全域に入っていないのでバネのピッチを自在に変更することもでき、スケールの付着しない水道水の場合は、低圧損とするためにピッチを広げて使用することもできる。例えば、銅パイプはＯリング１５で挟みつけているだけなので、取り外しが容易であり、バネを取り外してピッチを変更することも容易に行える。
【００３４】
さらに、図７のように、断続的に乱流生成手段であるバネ２４、２５、２６を配置することで、乱流が弱まったところの流速を速くすることができ、乱れを強めることができる。すなわち、長いパイプを用いたシーズヒータでは、全域にバネを配置させると圧力損失が大きくなるので、図７のように断続的にバネを配置することで低圧損とすることができ、かつ流速を速めて乱れを起こすことでスケールの付着を防止することができる。
【００３５】
断続的に配置したバネ流路２７、２９の後流２８、３０でも、旋回流がしばらく持続するので、バネのない流路域があっても旋回流とすることができる。そして、旋回が弱まったところでバネを配置して再び旋回成分を発生させることで、流速を速め、乱れを発生させるのである。
【００３６】
このように断続的に乱流生成手段を配置することで、長い熱交換器にも適用でき、低圧損でスケール付着の少ない長寿命の熱交換器を実現することができる。特に、Ｕ字のような曲がりがある場合は、Ｕ字部分をバネのない流路とし、直線部分にバネを配置することで構成することができ、コンパクトな熱交換器とすることができる。
【００３７】
（実施の形態３）
図８は本発明の第３の実施の形態の衛生洗浄装置を示す断面図である。そして、実施の形態１あるいは２の熱交換器を用いた衛生洗浄装置の構成であり、便器３１の上に暖房便座３２と衛生洗浄装置本体３３を設置している。そして、衛生洗浄装置本体３３の中に、熱交換器３４を備え、熱交換された温水が洗浄ノズル３５から噴出して人体３６の局部を洗浄するものである。そして、衛生洗浄装置本体の中には主用部品として遮断弁３７と流量制御装置３８を備えている。その他、制御基板などの部品は、省略する。
【００３８】
このような衛生洗浄装置において、小型でスケールの付着の少ない熱交換器を衛生洗浄装置の本体に内蔵することで、本体の小型化を実現すると共に、熱交換器の長寿命化とともに衛生洗浄装置としての寿命も伸ばすことができ、熱交換器はもとより洗浄ノズルなどが詰まることがなく動作の安定した衛生洗浄装置とすることができる。
【００３９】
特に、円筒状の小型熱交換器とすることで、伸縮する洗浄ノズルの設置によって死空間となっていたノズルの下部に、熱交換器３４を設置することができ、本体全体の小型化に貢献できる。
【００４０】
また、スケールが付着しにくい熱交換器ということで、スケールの流出も抑制されているので、洗浄ノズル３５や流量制御装置３８などでスケールが詰まることなく、安定した動作で長期間使用できる効果があり、衛生洗浄装置に適した熱交換器で、実現することができる。
【産業上の利用可能性】
【００４１】
以上のように、本発明にかかる熱交換器は、発熱体の外周に設けた流路に乱流生成手段を設置することで、流路に乱流が生成され、発熱部表面に発生するスケールなどの付着物を剥離することができるので付着を防止することができ、小型で高効率を実現しかつ長寿命とすることができる。そして、それを用いた衛生洗浄装置は、熱交換器を小型化することで衛生洗浄装置本体の小型化が実現でき、狭いトイレ空間にも容易に設置することができるとともに、長寿命で、かつ動作不良の発生しにくい装置とすることができる。
【図面の簡単な説明】
【００４２】
【図１】本発明の実施形態１における熱交換器の断面図
【図２】同熱交換器の断面図
【図３】熱交換器内の流れ分布図
【図４】熱交換器内の流れ分布図
【図５】本発明の実施の形態２における熱交換器の断面図
【図６】同熱交換器の断面図
【図７】同熱交換器の他の実施例を示す熱交換器の断面図
【図８】本発明の実施の形態３における衛生洗浄装置の断面図
【図９】従来の衛生洗浄装置の断面図
【符号の説明】
【００４３】
７  発熱体としての銅パイプ
８  ケース
９  流路
１０  乱流生成手段としてのバネ
３３  衛生洗浄装置
３４  熱交換器
【図１】
2005171540.tif 000003
【図２】
2005171540.tif 000004
【図３】
2005171540.tif 000005
【図４】
2005171540.tif 000006
【図５】
2005171540.tif 000007
【図６】
2005171540.tif 000008
【図７】
2005171540.tif 000009
【図８】
2005171540.tif 000010
【図９】
2005171540.tif 000011